【手続補正書】
【提出日】平成19年1月23日(2007.1.23)
【手続補正１】
【補正対象書類名】明細書
【補正対象項目名】全文
【補正方法】変更
【補正の内容】
【書類名】  明細書
【発明の名称】  搬送装置及び搬送方法
【特許請求の範囲】
【請求項１】  ワイヤコンタクトを電気−化学研磨処理装置に搬送する搬送装置において、
複数のワイヤコンタクトからなるワイヤコンタクト群が間隔を置いて取り付けられた可撓性を有する金属薄板が巻回されたスプールと、
該金属薄板を該スプールから該電気−化学研磨処理装置に一定の速度で搬送する搬送手段とを備える搬送装置。
【請求項２】  上記スプールは、供給スプールを形成し、
上記電気−化学研磨処理装置から上記金属薄板を巻き取る巻取スプールをさらに備える請求項１記載の搬送装置。
【請求項３】  上記搬送手段は、制御手段と、上記巻取スプールを該制御手段の制御の下に駆動する駆動モータと、上記金属薄板の移動速度を検出し、該移動速度を表すパルス信号を該制御手段に供給する計測ローラとを備えることを特徴とする請求項２記載の搬送装置。
【請求項４】  更に、上記電気−化学研磨処理装置に搬送するときに、上記金属薄板に張力を与える張力付与手段を備える請求項３記載の搬送装置。
【請求項５】  上記各ワイヤコンタクト群における複数のワイヤコンタクトは、互いに接触して一列に配列された状態で上記金属薄板に物理的に取り付けられていることを特徴とする請求項１記載の搬送装置。
【請求項６】  上記各ワイヤコンタクト群における複数のワイヤコンタクトは、互いに空間的に離隔して上記金属薄板に取り付けられていることを特徴とする請求項１記載の搬送装置。
【請求項７】  上記複数のワイヤコンタクトの自由端は、所定の角度に曲げられていることを特徴とする請求項１記載の搬送装置。
【請求項８】  上記複数のワイヤコンタクトの自由端の形状は、直線状であることを特徴とする請求項１記載の搬送装置。
【請求項９】  ワイヤコンタクトを電気−化学研磨処理装置に搬送する搬送方法において、
複数のワイヤコンタクトを複数のワイヤコンタクト群に分ける分類ステップと、
該複数のワイヤコンタクト群を、可撓性を有する金属薄板に、その長手方向に沿って間隔を置いて取り付けるステップと、
該金属薄板をスプールに巻回するステップと、
該スプールから該金属薄板を該電気−化学研磨処理装置に一定の速度で搬送する搬送ステップとを有する搬送方法。
【請求項１０】  上記スプールは、供給スプールを形成し、
上記電気−化学研磨処理装置から上記金属薄板を巻取スプールに巻き取るステップを有する請求項９記載の搬送方法。
【請求項１１】  上記搬送ステップは、コントローラの制御の下に、上記巻取スプールを駆動するステップと、
上記金属薄板の移動速度を検出し、該移動速度を表すパルス信号を該コントローラに供給するステップとを有することを特徴とする請求項１０記載の搬送方法。
【請求項１２】  上記電気−化学研磨処理装置に搬送するときに、上記金属薄板に張力を与えるステップを有する請求項１１記載の搬送方法。
【請求項１３】  上記分類ステップ及び上記ワイヤコンタクト群を取り付けるステップでは、該各ワイヤコンタクト群の複数のワイヤコンタクトを互いに接触して一列に配列された状態で上記金属薄板に物理的に取り付けることを特徴とする請求項９記載の搬送方法。
【請求項１４】  上記分類ステップ及び上記ワイヤコンタクト群を取り付けるステップでは、該各ワイヤコンタクト群の複数のワイヤコンタクトを、互いに空間的に離隔して上記金属薄板に取り付けることを特徴とする請求項９記載の搬送方法。
【請求項１５】  上記複数のワイヤコンタクトの自由端を所定の角度に曲げるステップを有する請求項９記載の搬送方法。
【請求項１６】  上記複数のワイヤコンタクトの自由端の形状は、直線状であることを特徴とする請求項９記載の搬送方法。
【請求項１７】  ワイヤコンタクトを電気−化学研磨処理装置に搬送する搬送装置において、
複数のワイヤコンタクトが、複数の群として長手方向に間隔を置いて取り付けられた可撓性を有する金属薄板を巻回した供給スプールと、
該供給スプールから該金属薄板を該電気−化学研磨処理装置に一定の速度で搬送する搬送手段と、
該電気−化学研磨処理装置から該金属薄板を巻き取る巻取スプールとを備える搬送装置。
【請求項１８】  上記搬送手段は、制御手段と、ユーザの操作に応じた命令を該制御手段に入力する入力手段と、上記巻取スプールを該制御手段の制御の下に駆動する駆動モータと、上記金属薄板の移動速度を検出し、該移動速度を表すパルス信号を該制御手段に供給する計測ローラとを備えることを特徴とする請求項１７記載の搬送装置。
【請求項１９】  更に、上記電気−化学研磨装置に搬送するときに、上記金属薄板に張力を与える張力付与手段を備える請求項１８記載の搬送装置。
【請求項２０】  上記各ワイヤコンタクト群の複数のワイヤコンタクトは、互いに接触して一列に配列された状態で上記金属薄板に物理的に取り付けられていることを特徴とする請求項１７記載の搬送装置。
【請求項２１】  上記各ワイヤコンタクト群の複数のワイヤコンタクトは、互いに空間的に離隔して上記金属薄板に取り付けられていることを特徴とする請求項１７記載の搬送装置。
【請求項２２】  上記複数のワイヤコンタクトの自由端は、所定の角度に曲げられていることを特徴とする請求項１７記載の搬送装置。
【請求項２３】  上記複数のワイヤコンタクトの自由端の形状は、直線状であることを特徴とする請求項１７記載の搬送装置。
【請求項２４】  ワイヤコンタクトを電気−化学研磨処理装置に搬送する搬送装置において、
複数のワイヤコンタクトが複数の群として長手方向に間隔を置いて取り付けられた長尺状の金属薄板を該電気−化学研磨処理装置に搬入する搬入手段と、
該電気−化学研磨処理装置から、該金属薄板を搬出する搬出手段とを備える搬送装置。
【請求項２５】  上記搬入手段は、駆動ローラと、該駆動ローラに接触したアイドルローラと、該駆動ローラを駆動する駆動モータとを備えることを特徴とする請求項２４記載の搬送装置。
【請求項２６】  上記各ワイヤコンタクト群の複数のワイヤコンタクトは、互いに接触して一列に配列された状態で上記金属薄板に物理的に取り付けられていることを特徴とする請求項２４記載の搬送装置。
【請求項２７】  上記各ワイヤコンタクト群の複数のワイヤコンタクトは、互いに空間的に離隔して上記金属薄板に取り付けられていることを特徴とする請求項２４記載の搬送装置。
【請求項２８】  上記複数のワイヤコンタクトの自由端は、所定の角度に曲げられていることを特徴とする請求項２４記載の搬送装置。
【請求項２９】  上記複数のワイヤコンタクトの自由端の形状は、直線状であることを特徴とする請求項２４記載の搬送装置。
【請求項３０】  ワイヤコンタクトを電気−化学研磨処理装置に搬送する搬送方法において、
複数のワイヤコンタクトを複数のワイヤコンタクト群に分ける分類ステップと、
該複数のワイヤコンタクト群を、長尺状の金属薄板に、その長手方向に沿って間隔を置いて取り付けるステップと、
該金属薄板を該電気−化学研磨処理装置に供給する供給ステップと、
該複数のワイヤコンタクトの先端部の研磨後、該電気−化学研磨処理装置から長尺状の金属薄板を引き出す引出ステップとを有する搬送方法。
【請求項３１】  上記供給ステップでは、上記金属薄板を駆動ローラとアイドルローラとの間に挟み、上記駆動ローラを駆動して、上記長尺状の金属薄板を一定速度で供給するステップとを有することを特徴とする請求項３０記載の搬送方法。
【請求項３２】  上記分類ステップ及び上記ワイヤコンタクト群を取り付けるステップでは、該各ワイヤコンタクト群の複数のワイヤコンタクトを互いに接触して一列に配列された状態で上記金属薄板に物理的に取り付けることを特徴とする請求項３０記載の搬送方法。
【請求項３３】  上記分類ステップ及び上記ワイヤコンタクト群を取り付けるステップでは、上記各ワイヤコンタクト群の複数のワイヤコンタクトを互いに空間的に離隔して上記金属薄板に取り付けることを特徴とする請求項３０記載の搬送方法。
【請求項３４】  上記複数のワイヤコンタクトの自由端を所定の角度に曲げるステップを有する請求項３０記載の搬送方法。
【請求項３５】  上記複数のワイヤコンタクトの自由端の形状は、直線状であることを特徴とする請求項３０記載の搬送方法。
【発明の詳細な説明】
【０００１】
【発明の属する技術分野】
本発明は、電気的接触子として用いられるワイヤコンタクトを電気−化学研磨処理装置に搬送する搬送装置及び搬送方法に関する。
【０００２】
【従来の技術】
ポジションエンコーダ、スリップリング部材、精密電位差計、センサ等においては、微細なワイヤ、すなわちワイヤコンタクトが電気的接触子として用いられている。このワイヤコンタクトと被接触面とが接触する接触領域の面積を減らすためには、ワイヤコンタクトの先端部に形成されたばり等を取り除くための研磨を行う必要がある。また、このような研磨によりワイヤコンタクトとの接触により被接触面がすり減る範囲を縮減することができる。
【０００３】
米国特許第５，１８９，２７８号には、微細な半径を有するワイヤコンタクト又はスプリングの先端部を平滑化する、又は丸みを付ける手法が開示されている。この手法では、ワイヤコンタクト又はスプリングの先端部にレーザビームを照射し、これによりワイヤコンタクト又はスプリングの先端部をある程度溶解させる。この手法は、ワイヤコンタクトの先端部の平滑化に有効な手法であるが、ワイヤコンタクト又はスプリングを溶解させることにより、材料の硬度が低下してしまうという問題がある。さらに、ワイヤコンタクトの先端部にレーザビームを適切に照射するためには、各ワイヤコンタクト又はスプリングを他のワイヤコンタクト又はスプリングから公称距離以上離間させる必要があり、したがってワイヤコンタクトを隣接させて構成されたワイヤコンタクト部材に対しては、この手法は適用できない。
【０００４】
【発明が解決しようとする課題】
また、米国特許第４，７５２，３６７号では、電気−化学研磨処理により金属の表面を平滑化する手法が開示されている。この手法により導電性金属の表面に形成されたばりを除去することができる。しかしながら、微細なワイヤコンタクトは取り扱いが難しく、したがって、微細なワイヤコンタクトに対してこの電気−化学研磨処理を施すことは容易ではない。
【０００５】
本発明は、このような課題に鑑みてなされたものであり、微細な径を有するワイヤコンタクトを効果的に研磨するために、ワイヤコンタクトを電気−化学研磨処理装置に搬送する搬送装置及び搬送方法を提供することを目的とする。
【０００６】
また、本発明は、ワイヤコンタクトを可撓性を有する金属薄板に取り付けて形成されたワイヤコンタクト集合部材を継続的に電気−化学研磨処理装置に搬送することにより効率的な研磨を実現できる搬送装置及び搬送方法を提供することを目的とする。
【０００７】
【課題を解決するための手段】
上述の課題を解決するために本発明に係る搬送装置は、ワイヤコンタクトを電気−化学研磨処理装置に搬送する搬送装置であって、複数のワイヤコンタクトからなるワイヤコンタクト群が間隔を置いて取り付けられた可撓性を有する金属薄板が巻回されるスプールと、この金属薄板をスプールから電気−化学研磨処理装置に一定の速度で搬送する搬送手段とを備える。このスプールは、供給スプールを形成し、搬送装置はさらに、電気−化学研磨処理装置から金属薄板を巻き取る巻取スプールを備える。
【０００８】
また、本発明に係る搬送方法は、ワイヤコンタクトを電気−化学研磨処理装置に搬送する搬送方法であって、複数のワイヤコンタクトを複数のワイヤコンタクト群に分ける分類ステップと、複数のワイヤコンタクト群を、可撓性を有する金属薄板に、その長手方向に沿って間隔を置いて取り付けるステップと、金属薄板をスプールに巻回するステップと、スプールから金属薄板を電気−化学研磨処理装置に一定の速度で搬送する搬送ステップとを有する。このスプールは、供給スプールからなり、搬送方法は、さらに電気−化学研磨処理装置から金属薄板を巻取スプールに巻き取るステップを有する。
【０００９】
また、本発明に係る搬送装置は、複数のワイヤコンタクトが、複数の群として長手方向に間隔を置いて取り付けられた可撓性を有する金属薄板を巻回した供給スプールと、供給スプールから金属薄板を電気−化学研磨処理装置に一定の速度で搬送する搬送手段と、電気−化学研磨処理装置から金属薄板を巻き取る巻取スプールとを備える。
【００１０】
また、本発明に係る搬送装置は、ワイヤコンタクトを電気−化学研磨処理装置に搬送するものであり、複数のワイヤコンタクトが複数の群として長手方向に間隔を置いて取り付けられた長尺状の形成された真っ直ぐな金属薄板を電気−化学研磨処理装置に搬入する搬入手段と、電気−化学研磨処理装置から、金属薄板を搬出する搬出手段とを備える。
【００１１】
また、本発明に係る搬送方法は、ワイヤコンタクトを電気−化学研磨処理装置に搬送するものであり、複数のワイヤコンタクトを複数のワイヤコンタクト群に分ける分類ステップと、複数のワイヤコンタクト群の複数のワイヤコンタクトを、長尺状の金属薄板に、その長手方向に沿って間隔を置いて取り付けるステップと、金属薄板を電気−化学研磨処理装置に供給する供給ステップと、ワイヤコンタクトの先端部の研磨後、電気−化学研磨処理装置から金属薄板を引き出す引出ステップとを有する。
【００１２】
このような搬送装置及び搬送方法では、微細な半径を有するワイヤコンタクトは、可撓性を有する金属薄板上に固定されており、スプールに巻回された金属薄板は、ワイヤコンタクトの先端部に対して継続的に電気−化学研磨処理を行う所定の装置に搬送される。ワイヤコンタクトが取り付けられた金属薄板は、再びスプールに巻回され、最終的な製造工程現場へ移動される。このように、本発明により、微細な径を有するワイヤコンタクトは、電気−化学研磨処理装置に効率的に搬送される。
【００１３】
【発明の実施の形態】
以下、本発明に係る搬送装置及び搬送方法について図面を参照しながら詳細に説明する。
【００１４】
本発明において用いる金属薄板１の一部を図１に示す。金属薄板１には、電気的接触子として用いられる微細な半径を有する複数のワイヤコンタクト２をグループ化した複数のワイヤコンタクト群３が取り付けられている。この実施例において、ワイヤコンタクト２は、パラジウム及び銀の合金からなり、各ワイヤコンタクト２の直径は約０．００３インチ（０．０７６２ｍｍ）である。ワイヤコンタクト群３は、２２本のワイヤコンタクト２を互いに隣接させて構成されている。ここで、ワイヤコンタクト２を互いに接触して配列してもよく、あるいは、各ワイヤコンタクト２を互いに空間的に離間させて配列してもよい。各ワイヤコンタクト群３は、金属薄板１の取付部４に溶接されて保持されている。この実施例において、取付部４は、強化銅又はニッケルを主体とした合金から形成されている。なお、ワイヤコンタクト２及び取付部４の材料は、上述のものに限定されるものではなく、例えばワイヤコンタクト２をタングステン又はステンレス鋼から形成してもよい。
【００１５】
この実施例においては、取付部４は、逆Ｕ字状の形状を有し、すなわち、各取付部４は、それぞれ２つのアーム５を備えている。複数のワイヤコンタクト群３は、各アーム５に溶接されており、すなわち、１つの取付部４に対して２つのワイヤコンタクト群３が取り付けられている。
【００１６】
また、取付部４は、連結部６を介して、帯状の形状を有する金属スプリングであるバンド部７に取り付けられている。バンド部７には、スプロケット孔８が長手方向に等間隔に開設されている。なお、この説明では、取付部４とバンド部７とを別個の部材としているが、取付部４とバンド部７とを一体に成型してもよい。
【００１７】
このように、金属薄板１にワイヤコンタクト群３を取り付け、後述するように、各ワイヤコンタクト２に対し研磨処理を行った後、金属薄板１は、最終工程現場に移動される。最終工程においては、連結部６と取付部４との間に形成されている切取線９を折り曲げ、又は切断することにより、ワイヤコンタクト群３と取付部４がバンド部７から切り離される。なお、この切り離しは、ワイヤコンタクト２を使用するユーザ側の自動組立機により行うようにしてもよい。
【００１８】
なお、スプリング状のワイヤコンタクト部材は、様々な形状とすることができ、図１に示し、また、上述した金属薄板１の形状及びワイヤコンタクト群３の構成及び取付の手法などは本発明の実施の形態の一例にすぎない。
【００１９】
ワイヤコンタクト群３を構成する一本のワイヤコンタクト２を図２に示す。ワイヤコンタクト２の先端は、角度θ分折り曲げられている。この角度θは、通常７０度程度である。なお、ワイヤコンタクト２の先端部にこのような曲げを形成せず、直線状の形状のままワイヤコンタクト２に研磨処理を施し、研磨処理終了後にワイヤコンタクト２に曲げ処理を施すようにしてもよい。
【００２０】
図３は、図２に示すワイヤコンタクト２の断面の拡大図である。この図３に示すように、ワイヤコンタクト２の先端部１０には、ワイヤコンタクト２の製造工程において形成された先鋭な角１１及びばり１２が存在している。このような角１１及びばり１２は、研磨処理等により取り除く必要がある。
【００２１】
一方、図４は、電気−化学研磨処理が施された後のワイヤコンタクト２の断面の拡大図である。このように、電気−化学研磨処理により、図３に示す角１１及びばり１２が除去され、ワイヤコンタクト２の先端部１０の外形１３が円滑に丸められる。
【００２２】
図５は、曲げ処理が施されていない直線状の形状を有するワイヤコンタクト１４の断面の拡大図である。このような直線状のワイヤコンタクト１４により図１に示すワイヤコンタクト群３を構成するようにしてもよい。なお、図５に示すワイヤコンタクト１４は、研磨処理が施された後のものであり、したがって、先鋭な角１１及びばり１２は既に除去されている。この直線状のワイヤコンタクト１４は、用途に応じて、あらゆる角度に屈曲可能である。
【００２３】
図６は、本発明を適用した搬送装置の外観を示す図である。この搬送装置により、ワイヤコンタクト群３が取り付けられた金属薄板１は、電気−化学研磨処理装置１５に搬送される。
【００２４】
ワイヤコンタクト群３が取り付けられた金属薄板１は、頂部フランジ１６及び底部フランジ１７が形成された供給スプール１８に巻回されている。さらに、この供給スプール１８は、スピンドル１９に取り付けられており、スピンドル１９は、供給スプール１８を回転可能に支持している。
【００２５】
金属薄板１は、まず、この供給スプール１８から、スプロケット孔８に嵌合する適切なスプロケットが形成された第１の計測ローラ２０に搬送される。なお、第１の計測ローラ２０にスプロケットを設ける代わりに、第１の計測ローラ２０を軟質ゴムにより形成し、金属薄板１と第１の計測ローラ２０との摩擦により第１の計測ローラ２０を回転させる構成としてもよい。
【００２６】
第１の計測ローラ２０の端部は、第１のパルス発生器２１に取り付けられており、さらに第１のパルス発生器２１は、接続線２２を介して、例えばマイクロプロセッサからなるコントローラ２３に接続されている。第１の計測ローラ２０は、上述のように、金属薄板１の搬送とともに回転し、この回転に基づいて金属薄板１の搬送速度を示す第１のパルス信号を生成し、この第１のパルス信号を接続線２２を介してコントローラ２３に供給する。
【００２７】
続いて、金属薄板１は、ワイヤコンタクト２の先端部１０に対して電気−化学研磨処理を行う電気−化学研磨処理装置１５に搬送される。
【００２８】
電気−化学研磨処理装置１５における処理が終了すると、金属薄板１は、電気−化学研磨処理装置１５から送出され、第２の計測ローラ２４に搬送される。第２の計測ローラ２４の端部は、第２のパルス発生器２５に接続されている。第２のパルス発生器２５は、接続線２６を介してコントローラ２３に第２のパルス信号を供給する。なお、図示しないが、第２の計測ローラ２４にも、スプロケット孔８に嵌合するスプロケットが設けられている。
【００２９】
さらに、金属薄板１は、第２の計測ローラ２４を通過して、巻取スプール２７に巻き取られる。上述のようにして、ワイヤコンタクト群３に対する研磨処理が終了した金属薄板１は、この巻取スプール２７に巻き取られる。この巻取スプール２７にも、金属薄板１を巻き取る際に金属薄板１をトラッキングするための、頂部フランジ２８及び底部フランジ２９が形成されている。さらに、巻取スプール２７は、スピンドル３０に取り付けられ、さらに、スピンドル３０は、スピンドル３０を回転駆動する巻取モータ３１に取り付けられている。この巻取モータ３１は、コントローラ２３から接続線３２を介して供給される制御信号により制御される。
【００３０】
金属薄板１を電気−化学研磨処理装置１５に搬送する際、金属薄板１に適切な張力を付与するために、この実施例では供給スプール１８側のスピンドル１９にトルクモータ３３を取り付けている。トルクモータ３３は、接続線３４を介してコントローラ２３に接続されており、このコントローラ２３により制御されている。また、このようなトルクモータ３３に代えて、供給スプール１８を制動するブレーキバンド等の機械的な張力付与装置を設け、これにより金属薄板１に適切な張力を付与するようにしてもよい。
【００３１】
また、コントローラ２３は、キーボード３５に接続されており、ユーザは、キーボード３５を操作することにより、コントローラ２３を介してこの搬送装置の動作を制御することができ、例えば運転を始動させたり、停止させたり、あるいは運転速度を変化させたりすることができる。
【００３２】
このように、図６に示す搬送装置により、金属薄板１は、電気−化学研磨処理装置１５内に搬送され、この電気−化学研磨処理装置１５において、金属薄板１にワイヤコンタクト群３として取り付けられた微細な半径を有するワイヤコンタクト２の先端部１０に対し、順次、電気−化学研磨処理が施される。これにより、図４、図５に示すような、先端部が研磨され、先鋭な角１１及びばり１２が除去されたワイヤコンタクト２、１４が形成される。
【００３３】
ここで、本発明の変形実施例について図７を用いて説明する。上述の搬送装置は、帯状に連続した金属薄板１を搬送するものであったが、この変形実施例では、図７に示すように、不連続な、比較的短い長尺状の金属薄板４０を搬送する搬送装置を説明する。金属薄板４０には、上述の実施例と同様、微細な径を有するワイヤコンタクトの集合体であるワイヤコンタクト群４１が取り付けられている。詳しくは、ワイヤコンタクト群４１は、金属薄板４０の取付部４２に溶接されている。
【００３４】
各金属薄板４０は、それぞれ３つのＵ字状の取付部４２を備えている。取付部４２は、スプリング状の連結部４３を介してバンド部４４に連結されている。このバンド部４４の長手方向の所定の位置には、スプロケット孔４５が開設されている。この実施例では、各金属薄板４０は、それぞれ３つの取付部４２を備えているが、取付部４２の数は任意であり、また、金属薄板４０に設ける取付部４２の数に応じて、バンド部４４の長さを自由に変更してよい。
【００３５】
また、図７に示す金属薄板４０の材料は、図１に示す金属薄板１と同様のものを用いることができる。
【００３６】
金属薄板４０は、駆動ローラ４６とアイドルローラ４７からなる一組の搬入ローラによって、電気−化学研磨処理装置４８に搬入される。駆動ローラ４６は、モータ４９により駆動されており、このモータ４９は、図示しないが、例えば図６に示すコントローラ２３と同様のコントローラにより制御されている。
【００３７】
金属薄板４０は、上述のようにして電気−化学研磨処理装置４８に搬入され、この電気−化学研磨処理装置４８内で、金属薄板４０に取り付けられたワイヤコンタクト群４１を構成する各ワイヤコンタクトの先端部が研磨される。
【００３８】
ワイヤコンタクトの研磨処理が終了すると、金属薄板４０は、駆動ローラ５０とアイドルローラ５１からなる一組の搬出ローラへ搬送される。駆動ローラ５０は、モータ５２により回転駆動されており、モータ５２は、図示しないが、コントローラにより制御されている。
【００３９】
続いて金属薄板４０は、駆動ローラ５０とアイドルローラ５１からなる搬出ローラによって、例えばコンベアベルト５３等の運搬装置へ搬送される。コンベアベルト５３は、モータ５４によって駆動されており、モータ５４は、図示しないコントローラにより制御されている。
【００４０】
なお、駆動ローラ４６，５０には、それぞれ摩擦又は駆動ピン５５，５６が設けられている。この駆動ピン５５，５６は、金属薄板４０のバンド部４４に開設されたスプロケット孔４５に嵌合し、これにより搬入ローラ及び搬出ローラは、金属薄板４０を搬送する。ところで、搬入及び搬出の速度によって金属薄板４０が電気−化学研磨処理装置４８を通過する速度を絶対的に設定することはできないが、搬入駆動速度と搬出駆動速度は、摩擦駆動ローラを使用することにより一致させることができる。
【００４１】
【発明の効果】
本発明に係る搬送装置及び搬送方法では、複数のワイヤコンタクトからなるワイヤコンタクト群が取り付けられた可撓性を有する金属薄板を供給スプールに巻回し、金属薄板をスプールから電気−化学研磨処理装置に一定の速度で搬送し、金属薄板を巻取スプールで巻き取る。また、本発明に係る搬送装置及び搬送方法では、複数のワイヤコンタクトが長手方向に間隔を置いて複数の群として取り付けられた可撓性を有する金属から長尺状に形成された真っ直ぐな金属薄板を電気−化学研磨処理装置に搬入し、この金属薄板を電気−化学研磨処理装置から搬出する。これにより、微細な径を有するワイヤコンタクトに対して電気−化学研磨処理を施すことができる。また、電気−化学研磨処理装置に対してワイヤコンタクト群を効率的に搬入出できるため、大量のワイヤコンタクトの先端部を効率的に研磨することができる。
【図面の簡単な説明】
【図１】
ワイヤコンタクトが取り付けられた金属薄板の平面図である。
【図２】
先端部が所定の角度曲げられたワイヤコンタクトを示す図である。
【図３】
研磨処理が施される前のワイヤコンタクトの先端部の断面の拡大図である。
【図４】
研磨処理が施された後のワイヤコンタクトの先端部の断面の拡大図である。
【図５】
研磨処理が施された後の、直線状の形状を有するワイヤコンタクトの先端部の断面の拡大図である。
【図６】
本発明を適用した搬送装置を示す図である。
【図７】
本発明を適用した搬送装置の変形例を示す図である。
【符号の説明】
１  金属薄板、３  ワイヤコンタクト群、１５  電気−化学研磨処理装置、１８  供給スプール、２３  コントローラ、２７  巻取スプール、３１  巻取モータ、３３  トルクモータ
【手続補正２】
【補正対象書類名】図面
【補正対象項目名】図６
【補正方法】変更
【補正の内容】
【図６】
2000202714.tif 000001